(57)【要約】【課題】作業効率を向上できると共に、廃棄物量を低減できる取水路清掃用具を提供すること。【解決手段】取水路清掃用具１０は、開口部１７を前方に有して箱状に形成され貝類や汚泥等の清掃対象物を貯留する本体部１１と、柄部２０と、取手部２１と、を備えている。本体部１１は、前部フレーム１２及び金属平板部１３と、一対の側部フレーム１４，１４と、後部フレーム１５，１６と、開口部１７を除く本体部１１の全面を覆う網部１８と、補強板（補強部材）１９と、を備えている。【選択図】図１
2010227778.tif 000002
【特許請求の範囲】
【請求項１】
取水路の内壁面に付着若しくは堆積した海洋生物や汚泥等の清掃対象物を当該内壁面から掻き取って収集する取水路清掃用具であって、
開口部を前方に有して箱状に形成され、当該開口部から取り入れられる前記清掃対象物を貯留する本体部と、
前記本体部の前記開口部の近傍から前方に延びる長尺状の柄部と、
を備え、
少なくとも前記本体部を形成する一部の面には、前記清掃対象物が含む水分を当該本体部の外部に排出可能な網部を有することを特徴とする取水路清掃用具。
【請求項２】
前記開口部の下側の開口縁部には、金属平板部を備えることを特徴とする請求項１に記載の取水路清掃用具。
【請求項３】
前記柄部の先端には、当該柄部と略直交する方向に延び、かつ、前記開口部の下側の開口縁部と略平行となるように形成された取手部を備えることを特徴とする請求項１又は２に記載の取水路清掃用具。
【請求項４】
前記本体部は、前記開口部を補強する補強部材を備えることを特徴とする請求項１から３のいずれかに記載の取水路清掃用具。
【発明の詳細な説明】
【技術分野】
【０００１】
本発明は、取水路の内壁面に付着若しくは堆積した貝類や海藻類等（以下、海洋生物という）や汚泥等の清掃対象物を当該内壁面から掻き取って収集する取水路清掃用具に関する。
【背景技術】
【０００２】
従来より、火力発電所等では蒸気冷却用に多量の海水が利用されている。この海水は、取水路から取り入れられる。したがって、取水路の内壁面には、使用に伴い次第に海洋生物が付着したり、当該海洋生物の死骸や汚泥等が堆積する。このような海洋生物や汚泥等は、取水路を徐々に狭めて取水効率を低下させるため、定期的な清掃（例えば、年に１〜２回程度の清掃）が必要となる。
【０００３】
この種の清掃を作業員が取水路に入って手作業で行う場合、先ず、取水を停止し、取水路内の海水を抜く。そして、作業員は、上記海洋生物を取水路の内壁面から剥離し収集するための取水路清掃用具を持って取水路内に入り、当該取水路清掃用具を用いて内壁面から上記海洋生物等を剥離し、その剥離物や汚泥等の収集作業を行っていた。
【０００４】
すなわち、従来は、スクレーパ（例えば、特許文献１参照）を用いて貝類等を剥離したり、砂や土等を平らにならすためのいわゆるトンボ等を用いてその剥離物や汚泥等の収集作業を行っていた。
【先行技術文献】
【特許文献】
【０００５】
【特許文献１】特許第３４４３１０４号公報
【発明の概要】
【発明が解決しようとする課題】
【０００６】
しかしながら、取水路内から海水を完全に抜いて乾燥状態とすることは、長期間の取水の停止を伴うため、できないのが実情である。このため、上記剥離物や堆積物等の清掃対象物を従来のスクレーパやトンボ等を用いて収集すると、海水も一緒に収集される。
【０００７】
収集物に水分が含まれると重量が増加するため、収集や運搬等の作業効率が低下すると共に、廃棄物量も増加してしまうという課題があった。
【０００８】
本発明は、上記に鑑みてなされたものであって、作業効率を向上できると共に、廃棄物量を低減できる取水路清掃用具を提供することを目的とする。
【課題を解決するための手段】
【０００９】
上記目的を達成するため、本発明は、以下のような取水路清掃用具を提供する。
【００１０】
（１）  取水路の内壁面に付着若しくは堆積した海洋生物や汚泥等の清掃対象物を当該内壁面から掻き取って収集する取水路清掃用具であって、開口部を前方に有して箱状に形成され、当該開口部から取り入れられる前記清掃対象物を貯留する本体部と、前記本体部の前記開口部の近傍から前方に延びる長尺状の柄部と、を備え、少なくとも前記本体部を形成する一部の面には、前記清掃対象物が含む水分を当該本体部の外部に排出可能な網部を有することを特徴とする。
【００１１】
（１）の発明によれば、本体部に貯留された収集物（清掃対象物）が含む水分を網部から本体部の外部に排出できる。これにより、収集物が含む水分を低減できるので、清掃対象物の収集や運搬等の作業効率を向上できると共に、廃棄物量を低減できる。
【００１２】
（２）  （１）の発明においては、前記開口部の下側の開口縁部には、金属平板部を備えることが好ましい。
【００１３】
（２）の発明によれば、金属平板部を取水路の内壁面に摺接し易くでき、当該内壁面に付着した海洋生物を掻き取り易くなる。
【００１４】
（３）  （１）又は（２）に記載の発明においては、前記柄部の先端には、当該柄部と略直交する方向に延び、かつ、前記開口部の下側の開口縁部と略平行となるように形成された取手部を備えることが好ましい。
【００１５】
（３）の発明によれば、作業員は、取手部を把持することで、本体部を自分側に引き寄せ易くできるため、清掃対象物の収集等の作業効率を向上できる。
【００１６】
（４）  （１）から（３）のいずれかに記載の発明においては、前記本体部は、前記開口部を補強する補強部材を備えることが好ましい。
【００１７】
（４）の発明によれば、剛性を確保しにくい開口部を補強することで、本体部全体の強度を向上できる。
【発明の効果】
【００１８】
本発明によれば、作業効率を向上できると共に、廃棄物量を低減できる取水路清掃用具を提供できる。
【図面の簡単な説明】
【００１９】
【図１】本発明の実施形態に係る取水路清掃用具を示す斜視図である。
【図２】作業員が取水路清掃用具を用いて清掃対象物を収集する直前の様子を示す模式図である。
【図３】作業員が取水路清掃用具を若干持ち上げて収集物から水分を分離する様子を示す模式図である。
【図４】作業員が倒立させた取水路清掃用具を前後に振って収集物から水分を分離する様子を示す模式図である。
【発明を実施するための形態】
【００２０】
以下に、本発明の実施形態を図面に基づいて詳細に説明する。なお、この実施形態により本発明が限定されるものではない。
【００２１】
図１は、本発明の実施形態に係る取水路清掃用具を示す斜視図である。
図１に示すように、取水路清掃用具１０は、開口部１７を前方に有して箱状に形成され、当該開口部１７から取り入れられる清掃対象物（図示せず）を貯留する本体部１１と、本体部１１の開口部１７の開口上縁部から前方に延びる長尺状の柄部２０と、柄部２０の先端側に設けられた取手部２１と、を備えている。
【００２２】
本体部１１は、図１に示すように、矩形状の開口部１７を構成する前部フレーム１２及び金属平板部１３と、本体部１１の左右両側面の骨格を構成する一対の側部フレーム１４，１４と、側部フレーム１４，１４の後部を連結する後部フレーム１５，１６と、開口部１７を除く本体部１１の全面を覆う網部１８と、開口部１７を補強する補強板（補強部材）１９と、を備えている。
【００２３】
前部フレーム１２は、略コ字状に形成され、開口部１７の上側の開口縁部及び左右の開口縁部を構成している。すなわち、前部フレーム１２は、開口部１７の骨格の一部を構成している。
【００２４】
金属平板部１３は、前部フレーム１２に固定され、開口部１７の下側の開口縁部を構成している。金属平板部１３は、取水路の内壁面（図示せず）と摺接する部分であり、当該内壁面に付着した海洋生物（図示せず）を掻き取り易くするために、板厚が薄く形成されている。
なお、金属平板部１３は、本体部１１の奥側から開口部１７側に向けて板厚が漸次薄くなるようにテーパ状に形成されていてもよい。
【００２５】
一対の側部フレーム１４，１４は、それぞれ略Ｕ字状に形成され、湾曲部１４ａを有している。側部フレーム１４は、当該Ｕ字状の湾曲部１４ａを本体部１１の奥側に向けて、一端部を前部フレーム１２に接続され、他端部を金属平板部１３に接続されている。また、側部フレーム１４，１４同士は、互いに平行に配置されている。
【００２６】
後部フレーム１５，１６は、側部フレーム１４，１４の後部を連結している。すなわち、側部フレーム１４，１４の上記Ｕ字状の湾曲部１４ａと直線部分との境界付近同士を連結している。後部フレーム１５，１６は、金属平板部１３に対して平行に配置されている。
【００２７】
網部１８は、開口部１７を除く本体部１１の全面を覆うように設けられている。網部１８は、本体部１１に貯留された清掃対象物を本体部１１に残し、清掃対象物が含む水分を本体部１１の外部に排出できるような網目径を有している。
【００２８】
補強板１９は、前部フレーム１２の中央部と金属平板部１３とを連結している。補強板１９は、帯状の金属板の中央を略Ｕ字状に湾曲して形成されている。
すなわち、補強板１９は、上記Ｕ字状の湾曲部分を頂点にして開口部１７の中央に配置されると共に、当該頂点部分が前部フレーム１２に固定され、両端部分が金属平板部１３に固定されている。
【００２９】
柄部２０は、本体部１１の開口部１７の開口上縁部から前方に延びる長尺状の円筒部材である。具体的には、柄部２０は、その基端部を補強板１９の上記Ｕ字状の湾曲部分に固定されている。
【００３０】
また、柄部２０は、後述する図２に示すように、開口部１７の開口上縁部から前方に延びるにしたがって、所定量上り勾配となるように傾斜している。すなわち、柄部２０は、作業員が、後述する取手部２１を略腰の高さで把持できるように設けられている。
【００３１】
取手部２１は、柄部２０の先端から当該柄部２０と略直交する方向に延び、かつ、金属平板部１３と略平行となるように設けられている。すなわち、取手部２１が設けられた柄部２０は、平面視において略Ｔ字状に形成されている。取手部２１も、上記柄部２０と略同一径の円筒部材で形成されている。
【００３２】
以上のように構成された取水路清掃用具１０の各部の寸法は、図１に示すように、例えば、本体部１１の縦寸法Ｌ１は２５０ｍｍ程度、本体部１１の横寸法Ｌ２は１２００ｍｍ程度、本体部１１の奥行寸法Ｌ３は３００ｍｍ程度、柄部２０の長さは１５００ｍｍ程度であることが好ましい。
【００３３】
また、取水路清掃用具１０の材質は、機械的強度の観点から金属であることが好ましく、例えば、鉄、ステンレス、アルミニウム合金等が挙げられる。但し、上記金属平板部１３は、取水路の内壁面（図示せず）と摺接する部分であり、耐摩耗性が要求されるため、鉄、ステンレス等が好ましい。
【００３４】
また、取水路清掃用具１０は、海水に含まれる成分によって腐食されるのを防止するため、所定の防食処理（例えば、防錆塗料の塗布等）が施されていることが好ましい。
【００３５】
次に、取水路清掃用具１０を用いて、取水路の内壁面から清掃対象物を収集する態様について図２〜図４を参照して説明する。
ここで、図２は、作業員が取水路清掃用具１０を用いて清掃対象物を収集する直前の様子を示す模式図である。図３は、作業員が取水路清掃用具１０を若干持ち上げて収集物から水分を分離する様子を示す模式図である。図４は、作業員が倒立させた取水路清掃用具１０を前後に振って収集物から水分を分離する様子を示す模式図である。
【００３６】
作業員は、取水が停止され海水を抜かれた取水路内に、取水路清掃用具１０を持って入る。そして、図２に示すように、作業員Ｗは、開口部１７の金属平板部１３を貝類等の清掃対象物の近傍（奥側）に配置し、柄部２０及び取手部２１を把持して本体部１１を手前（図２における矢印方向）に引き寄せる。
【００３７】
このとき、金属平板部１３が取水路の内壁面（底面）Ｇと摺接するので、貝類等が内壁面から容易に剥離され、その剥離物や汚泥等は本体部１１内に収集され貯留される。その際、海水も一緒に本体部１１内に収集されるが、図３に示すように、作業員Ｗが取水路清掃用具１０を若干持ち上げて内壁面Ｇから浮かせることにより、海水は網部１８から本体部１１の外部に容易に排出される。これにより、収集物に含まれる水分が大幅に低減される。
【００３８】
また、収集物が含む水分を網部１８から本体部１１の外部に更に早く排出したい場合には、次のように作業することが好ましい。
すなわち、図３及び図４に示すように、作業員Ｗは、柄部２０を把持して略垂直方向に向くまで持ち上げていき、開口部１７が上側に向くように本体部１１を倒立させる。
【００３９】
そして、図４に示すように、作業員Ｗは、本体部１１が倒立した状態で、柄部２０を前後に繰り返し傾けることで本体部１１を振る。その際、本体部１１はＵ字状の湾曲部１４ａを有しているので、円滑に傾けることができる。
これにより、収集物が含む水分の分離が更に促進され、分離された水分が網部１８から排出され易くなる。
【００４０】
なお、取水路清掃用具１０によって収集された収集物は、所定の回収容器によって集められ、地上へと搬出される。
【００４１】
以上のように、この実施形態に係る取水路清掃用具１０によれば、本体部１１の開口部１７を除く全面に網部１８を設けたので、本体部１１に貯留された収集物が含む水分は、この網部１８を通過して本体部１１の外部に排出される（図３及び図４参照）。
これにより、収集物が含む水分を低減できるので、清掃対象物の収集や運搬等の作業効率を向上できると共に、廃棄物量を低減できる。
【００４２】
また、本体部１１における開口部１７の下側の開口縁部には、金属平板部１３を設けた。これにより、金属平板部１３を取水路の内壁面に摺接し易くでき、当該内壁面に付着した海洋生物を掻き取り易くなる。
【００４３】
また、柄部２０の先端の両側部に取手部２１を設けた。これにより、作業員は、取手部２１を把持することで、本体部１１を自分側に引き寄せ易くできるため、清掃対象物の収集等の作業効率を向上できる。
【００４４】
また、本体部１１には、作業員が取手部２１を略腰の高さで把持できるように柄部２０を傾斜させて設けた。これにより、作業員は、腰をほとんど曲げずに本体部１１を自分側に楽に引き寄せられるため、作業負担を軽減できる。
【００４５】
また、本体部１１には、開口部１７を補強する補強板１９を設けた。これにより、剛性を確保しにくい開口部１７を補強することができ、本体部１１全体の強度を向上できる。
【００４６】
また、柄部２０の基端部を、補強板１９の上記Ｕ字状の湾曲部分を介して本体部１１に固定した。これにより、応力の集中し易い本体部１１との連結部分を補強できる。
【００４７】
なお、上記実施形態においては、網部１８は、開口部１７を除く本体部１１の全面を覆うように設けられているものとして説明したが、これに限定されず、開口部１７を除く本体部１１の一部（例えば、本体部１１の上面以外の部分）を覆うように網部１８を設けてもよい。
【００４８】
また、上記実施形態においては、取水路清掃用具１０の材質は金属であるものとして説明したが、所定の機械的強度を確保できれば、これに限定されず、例えば、硬質の合成樹脂等、その他の材質であってもよい。この場合も、耐摩耗性の観点から、開口部１７の下側の開口縁部には、金属平板部１３を設けることが好ましい。
【符号の説明】
【００４９】
１０  取水路清掃用具
１１  本体部
１３  金属平板部
１７  開口部
１８  網部
１９  補強板（補強部材）
２０  柄部
２１  取手部
【図１】
2010227778.tif 000003
【図２】
2010227778.tif 000004
【図３】
2010227778.tif 000005
【図４】
2010227778.tif 000006